(57)【要約】【課題】現場で特別の工具を要することなく簡単かつ迅速に組み立てて、使用後には簡単に解体してコンパクトに収納容易とし、廊下とか部屋の戸口近辺に特別の固定具を使用することなく柵体の自重を有効に利用して安定して設置することができ、インテリア的にも美麗で家屋内の美観を損なわない柵体を提供する。【解決手段】パネル本体の片方の側縁部下端に横方向に延びる支持腕部を形成した各側面パネル部材の一方の側縁部に、それぞれ、前記連結部材を介して連結された側面パネル部材のパネル面と前面パネル部材のパネル面とが略９０度をもって左右対称状に開いた状態で起立状に設置可能とした一対の片翼付柵部材を組立て、該両片翼付柵部材の前面パネル部材を全幅調整可能に重ね合せ、該両前面パネル部材を互いにネジ固定部材により締結して自立式柵体を構成する。【選択図】図１
2007209456.tif 000002
【特許請求の範囲】
【請求項１】
パネル本体の一方の側縁部下端に横方向に延びる支持腕部を設けた一対の側面パネル部材と一対の前面パネル部材とを有し、前記各側面パネル部材の一方の側縁部にそれぞれ連結部材を介して前記前面パネル部材の一方の側縁部を連結し、前記連結部材を介して連結された側面パネル部材のパネル面と前面パネル部材のパネル面とが略９０度をもって左右対称状に開いた状態で起立状に設置可能とした一対の片翼付柵部材を組立て、該両片翼付柵部材の前面パネル部材を全幅調整可能に重ね合せるとともに該両前面パネル部材を着脱可能としたネジ固定部材を介して互いに固定して構成したことを特徴とする柵体。
【請求項２】
片翼付柵部材部材における側面パネル部材の下端部及び支持腕部の底面並びに前面パネル部材の下端部の底面に複数の滑り止めプレート部材を取り付けたことを特徴とする請求項１に記載の柵体。
【請求項３】
連結部材は、軸部材と該軸部材の軸部を着脱可能に枢支する筒状軸受け部とから成り、側面パネル部材又は前面パネル部材の一方の側縁部に前記軸部材を取り付ける一方、該前面パネル部材又は側面パネル部材の一方の側縁部に前記筒状軸受け部材を取り付け、前記軸部材を取り付けた側面パネル部材又は前面パネル部材を持ち上げて該軸部材の軸部を他方の筒状軸受け部材の軸受け孔に挿入して係止することにより前記側面パネル部材の側縁部と前記前面パネル部材の側縁部とをヒンジ結合することを特徴とする請求項１又は請求項２に記載の柵体。
【請求項４】
連結部材は、２つの筒状軸受け部材と、該両筒状軸受け部材の軸受け孔に挿入して着脱可能に係止するＬ字形ピン軸部材とから成り、側面パネル部材の一方の側縁部及び前面パネル部材の一方の側縁部にそれぞれ前記筒状軸受け部材を取り付け、該両筒状軸受け部材の軸受け孔を同心状に位置決めし、該両軸受け孔に前記Ｌ字形ピン軸部材を挿入して係止することにより前記側面パネル部材の側縁部と前記前面パネル部材の側縁部とをヒンジ結合することを特徴とする請求項１又は請求項２に記載の柵体。
【請求項５】
片翼付柵部材部材における側面パネル部材の一方の側縁部と前面パネル部材の一方の側縁部とを、請求項３に記載の第１連結部材と少なくとも１つの請求項４に記載の第２連結部材との２種類の連結部材を介して連結したことを特徴とする請求項１又は請求項２に記載の柵体。
【発明の詳細な説明】
【技術分野】
【０００１】
本発明は柵体、詳しくは、幼児、動物ペット等の通行を封鎖する柵体に関する。
【背景技術】
【０００２】
従来、例えば、部屋の戸口から乳幼児等の這い出しを防止するとか、家屋内の廊下で動物ペットの飼育場所を画定するにあたり、ネジ、釘等の固定部材を使用することなく、２枚のパネル部材を重ね合せて全幅調整可能に連結して成る柵本体部のいずれか一方の側縁部にリンク機構を介して横方向に伸縮移動可能とした当接部材を取付けて構成した可搬式柵体が知られている（特許文献１を参照）。
【０００３】
しかし、前記公知の可搬式柵体は、原理的に柵体の両側部を対向壁面に押し当てて固定するもので、柵体の設置場所が著しく限定され、汎用性に欠けるものであった。
【０００４】
そこで、前記柵体の設置場所の制限条件を緩和するために、柵体の両側縁部に支柱を設け、該両支柱の下端部をブロック体に固定するようにした自立式柵体が考えられる。しかし、前記提案形式のものでは、柵体を起立状に安定して設置するには、ブロック体は重量の大きなものとしなければならず、柵体全体が大型化し、可搬性及び安全性が欠け、インテリア的に見劣り、前記方策は俄かに採用し難い。
【特許文献１】登録実用新案第３０７８０６６号公報
【発明の開示】
【発明が解決しようとする課題】
【０００５】
本発明は、前記問題点に鑑みてなされたもので、現場にて特別の工具を要することなく簡単かつ迅速に組み立てが可能であり、使用後には簡単に解体してコンパクトに収納容易とし、廊下とか部屋の戸口近辺に特別の固定具を使用することなく柵体の自重を有効に利用して安定して設置することができ、インテリア的にも美麗で家屋内の美観を損なわない自立式移動柵体を提供することを目的とする。
【課題を解決するための手段】
【０００６】
本発明の柵体は、パネル本体の片方の側縁部下端に横方向に延びる支持腕部を設けた一対の側面パネル部材と一対の前面パネル部材とを有し、各側面パネル部材の一方の側縁部にそれぞれ連結部材を介して前記前面パネル部材の一方の側縁部を連結し、前記連結部材を介して連結された側面パネル部材のパネル面と前面パネル部材のパネル面とが略９０度をもって左右対称状に開いた状態で起立状に設置可能とした一対の片翼付柵部材を組立て、該両片翼付柵部材の前面パネル部材を全幅調整可能に重ね合せるとともに該両前面パネル部材を着脱可能としたネジ固定部材を介して互いに固定して構成したことを特徴とする。
【発明の効果】
【０００７】
本発明の請求項１に記載の柵体は、側面パネル部材の下端部と、該下端部の片側の端部から水平に延びる支持腕部と、該支持腕部の基部に略９０度をもって交差する前面パネル部材の下端部とで前面パネル部材の両側縁部に形成されるＴ字形三叉片部で柵体全体を支持するようにしたから、一対の片翼付柵部材部材から成る柵体を起立状態に安定して保持することができるという優れた作用効果を奏し得る。
【０００８】
本発明の請求項２に記載の柵体は、左右の側面パネル部材の下端部及び支持腕部の底面並びに両前面パネル部材の下端部底面に滑り止めプレートを貼着した構成としたから、柵体に水平方向に働く外力に対し柵体全体の自重に応じた摩擦力により水平方向の移動を有効に阻止することができるという優れた作用効果を奏し得る。
【０００９】
本発明の請求項３に記載の柵体における側面パネル部材と前面パネル部材との連結は側面パネル部材又は前面パネル部材の一方の側縁部に前記軸部材を取り付ける一方、該前面パネル部材又は側面パネル部材の一方の側縁部に前記筒状軸受け部材を取り付け、前記軸部材を取り付けた側面パネル部材又は前面パネル部材を持ち上げて該軸部材の軸部を他方の筒状軸受け部材の軸受け孔に挿入して係止することにより前記側面パネル部材と前面パネル部材とを簡単にかつ迅速に連結することができるという優れた作用効果を奏し得る。
【００１０】
両パネル部材を微動させながら本発明の請求項４に記載の柵体における側面パネル部材と前面パネル部材との連結は、両パネル部材の側縁部にそれぞれ取り付けた筒状軸受け部材の軸受け孔を大まかに位置合わせし、略一直線状に揃えた両筒状軸受け部材の軸受け孔にＬ字形ピン軸部材を挿入することにより、前記側面パネル部材と前面パネル部材とを簡単にかつ迅速に連結することができるという優れた作用効果を奏し得る。
【００１１】
本発明の請求項５に記載の柵体は、片翼付柵部材部材における側面パネル部材の支持腕が延びている側の側縁部に、軸部材と軸受け部材との２点の要素から成る第１連結部材と、２つの筒状軸受け部材とＬ字形ピン軸部材との３点の要素から成る少なくとも１つの第２連結部材とを介して、該側縁部と略直角に交差するように前面パネル部材を取り付けるようにしたから、最初、前面パネル部材の側縁部と側面パネル部材の側縁部とを第１連結部材を介して仮止めし、次いで、第２連結部材の２つの筒状軸受け部材の軸受け孔の位置合わせをし、該位置合わせした両軸受け孔にＬ字形ピン軸部材のピン軸部を挿入することにより前面パネル部材と側面パネル部材との連結をよりスムーズに行えるという優れた作用効果を奏し得る。
【発明を実施するための最良の形態】
【００１２】
以下、本発明の実施の形態を、添付図面を参照して説明する。
本発明の柵体１は、図１に示されるように、例えば、家屋内の廊下とか、戸口開口付近に設置して、ペット犬の行動範囲を画定するのに使用することができる。
【００１３】
前記柵体１は、概略、２つの（左、右）側面パネル部材２、１２と、２つの前面パネル部材６、１６とにより、各側面パネル部材２、１２と前面パネル部材６、１６とを第１連結部材２１及び第２連結部材２５を介してヒンジ結合して左右一対の片翼付柵部材を形成し、詳細に後述するように、両片翼付柵部材の前面パネル部材６、１６同士を一部分重ね合わせて所望の全幅となるように調整し、該重なり合った部分をボルト固定部材３５により締結して構成される。
【００１４】
前記左側面パネル部材２と右側面パネル部材１２とは、共に、概略矩形状で略同じ大きさの木製枠体３、１３に、それぞれ、金属線材を用いて格子模様を形成するフェンス部材４、１４をはめ込んで形成される。各側面パネル部材２、１２の枠体７、１７の一方の側縁部下端には、それぞれ、各パネル部材２、１２の横方向、すなわち、パネル面と平行にかつ水平に延びる支持腕部５、１５が形成されている。各側面パネル部材２、１２の支持腕部５、１５の上部には、前記フェンス部材４、１４等の通行障壁用フェンス部材は設けていない。各側面パネル部材２、１２の下端部と各支持腕部５、１５とは、前記第１連結部材２１及び第２連結部材２５を介してヒンジ結合される前面パネル部材６、１６の下端部と協同して、それぞれ、該側面パネル部材２及び前面パネル部材６から成る左片翼付作部材と、該側面パネル部材１２及び前面パネル部材１６から成る右片翼付柵部材とを起立状に支持可能とされる。前記左側面パネル部材２と右側面パネル部材１２とは、それぞれの支持腕部５、１５の長さが相違し、その他の部分は互いに同じ形状寸法とされる。図１及び図２に示すように、支持腕部１５は支持腕部５よりも前面パネル部材６の厚みに相当する分長い。
【００１５】
両前面パネル部材６、１６は、前記側面パネル部材２、１２と同様、共に、略矩形状で略同じ大きさの木製枠体７、１７に、それぞれ、金属線材を用いて格子模様を形成するフェンス部材８、１８をはめ込んで形成されている。なお、フェンス部材８、１８の格子の縦筋の間隔は、通行封鎖対象のペット動物とか、乳幼児等の頭部の横幅より十分に狭く、縦筋間又は網目に挟まれないように安全性を考慮して適宜の大きさに設定される。側面パネル部材２、１２は、それぞれ、前面パネル部材６、１６と前記連結部材２１、２５を介して着脱可能にヒンジ結合して左右対称状の片翼付柵部材が形成される。以下、片翼付柵部材の構成に関し、左側面パネル部材２と一方の前面パネル部材６とにより形成される左片翼付柵部材について説明し、他方の右片翼付柵部材についての説明は省略する。
【００１６】
図４（ａ）に示すように、左側面パネル部材２における枠体３の一方の側縁部、即ち、該側縁部下端に支持腕部５が突出している側の側縁部の上方に、円筒状軸受け部材２３がビス止めされる一方、前面パネル部材６の一方の側縁部における上方部に、前記円筒状軸受け部材２３の軸受け孔の上方から押し下げて挿入可能な位置にピン軸部材２２がビス止めされる。前記ピン軸部材２２が取り付けられた前面パネル部材６を手で持ち上げて該ピン軸部材２２を、前記側面パネル部材２の一方の側縁部に取り付けられた前記円筒状軸受け部材２３の軸受け孔に挿入することにより、前記側面パネル部材２と前面パネル部材６とが仮止めされる。なお、軸部材２２と円筒状軸受け部材２３との取り付け位置は、側面パネル部材２と前面パネル部材６との連結が完了した際、側面パネル部材２の下端面と前面パネル部材６の下端面が同一の水平面に位置するように調整される。
【００１７】
次に、図４（ｂ）に示すように、側面パネル部材２及び前面パネル部材６の各側縁部の下方部に取り付けた円筒状軸受け部材２６、２７の軸受け孔を略一直線状に揃え、両軸受け部材２６、２７の上方からＬ字形ピン軸部材２８を押し下げて該両軸受け孔に挿入することにより、側面パネル部材２と前面パネル部材６とを完全にヒンジ結合した後、側面パネル部材２に対し前面パネル部材６を略９０度をもって開いた状態とし、該側面パネル部材２の側縁部と該前面パネル部材６の側縁端面とにそれぞれ設けた貫通穴９、ネジ穴１０にボルト１１を図示しないワッシャーと一緒に挿入してねじ締めし、略９０度をもって開状態とした左片翼付柵部材が組み立てられる。該左側片翼付柵部材と同様にして、右側面パネル部材１２と前面パネル部材１６とを、第１連結部材２１、第２連結部材２５を介してヒンジ連結することにより右片翼付柵部材が組み立てられる。左片翼付柵部材と右片翼付柵部材とは、前面パネル部材６、１６に対する左右の側面パネル部材２、１２の開き方向（９０度の回転方向）が左右対称とされる。
【００１８】
図１及び図２に示すように、左及び右片翼柵部材の前面パネル部材６、１６の上端部及び下端部に、それぞれ、自由端部の基準位置から左右横方向に沿って同一ピッチで複数の貫通穴３１、固定ネジ穴３２が設けられる。左右片翼付柵部材の前面パネル部材６、１６を、柵体の設置場所、例えば、図７に示すように、部屋の間仕切り開口の横幅に応じて重なり具合を調整し、図５に示すように、例えば、前面パネル部材６の上下端部に設けた基準位置に設けた貫通穴３１と、前面パネル部材１６の上下端部に設けた複数の固定ネジ穴３２のうち、該貫通穴３１の中心線と一致した固定ネジ穴３２に、ボルト３５をワッシャー３３及びスプリングワッシャー３４と一緒に挿入してネジ締めし、これで、自立式柵体の組立てが完了する。
【００１９】
前記柵体１において、側面パネル部材２、１２と前面パネル部材６、１６との連結は、図４に示すように、両パネル部材の側縁部の上方に第１連結部材２１を取り付け、下方に第２連結部材２５を取り付けるようにしたが、これに限らず、取付け上下位置を逆転しても良い。また、３つ以上の連結部材により側面パネル部材と前面パネル部材を連結する場合には、１つの第１連結部材２１と、２つ以上の第２連結部材２５を両パネル部材の側縁部に取り付け、組立て作業にあたり、最初に、第１連結部材２１を介して両パネル部材を仮止し、次いで、第２連結部材２５による連結作業を行うようにすれば、第２連結部材２１の２つの筒状軸受け穴２６、２７の垂直方向の位置合わせが容易化され、したがって、片翼付柵部材の組立て作業の容易化を有効に図ることができる。
【００２０】
前記側面パネル部材２、１２の枠体３、１３及び前面パネル部材６、１６の枠体７、１７は、木製のものに限らず、合成樹脂材及び金属材製のもであって良く、種々の色に着色し、和様家屋内で使用する場合には、例えば、木目調の模様を付してインテリア性を高めるようにすることができる。また、フェンス部材４、１４、８、１８は、格子模様に限らず、網目模様等、種々の模様に変形することができる。
【００２１】
また、前記側面パネル部材２、１２及び前面パネル部材６、１６の形状は、矩形に限らず、三角形、波形等に変形して装飾性を高めるようにしてもよい。
尚、本発明の柵体は、前記した実施の形態に限定されるものではなく、本発明の要旨を逸脱しない範囲内において種々変更を加え得ることは勿論である。
【図面の簡単な説明】
【００２２】
【図１】本発明の柵体の使用時における通行封鎖領域の外側から見た斜視図である。
【図２】前記柵体の通行封鎖領域の内側から見た斜視図である。
【図３】前記柵体の主要構成部分の平面図であって、（a）は前面パネル部材６の表面図、（ｂ）は前面パネル部材６の裏面図、（ｃ）は（左）側面パネル部材２の表面図、（ｄ）は（左）側面パネル部材２の裏面図である。
【図４】左側縁パネル部材２と前面パネル部材６とを、第１連結部材２１及び第２連結部材２５を用いて連結して左片翼付柵部材を組み立てる手順の説明図であり、（ａ）は円で囲まれた部分拡大図（Ａ）に示される第１連結部材２１による連結操作、（ｂ）は第２連結部材２５による連結操作の説明図である。
【図５】一対の片翼付柵部材の前面パネル部材６、１６を所望の重ね合わせ位置にボルト締めして固定する操作の説明図である。
【図６】前記柵体１の全構成部分の分解斜視図を示す。
【図７】前記柵体１を部屋の間仕切り開口周辺を包囲するように設置してペット犬の行動領域を画定するようにした使用の一例を示す。
【符号の説明】
【００２３】
１  本発明の柵体
２  （右）側面パネル部材
３  枠体
４  フェンス部材
５  支持腕部
６  前面パネル部材
７  枠体
８  フェンス部材
９  貫通穴
１０  固定ネジ穴
１１  ボルト
１２  （左）側面パネル部材
１３  枠体
１４  フェンス部材
１５  支持腕部
１６  前面パネル部材
１７  枠体
１８  フェンス部材
２１  第１連結部材
２５  第２連結部材
３１  貫通穴
３２  固定ネジ穴
３３  ボルト
３６  滑り止めプレート
３８  間仕切り開口
３９  ペット犬
【図１】
2007209456.tif 000003
【図２】
2007209456.tif 000004
【図３】
2007209456.tif 000005
【図４】
2007209456.tif 000006
【図５】
2007209456.tif 000007
【図６】
2007209456.tif 000008
【図７】
2007209456.tif 000009